(57)【特許請求の範囲】
【請求項１】
複数の回折格子部分を有するブラッグ・グレーティング光ファイバーを備える軸受けであって、各回折格子部分が周波数の異なる領域に対応し、物理的に順次隣接する回折格子部分が周波数平面において離間した周波数領域に対応するような方法にて各回折格子部分が形成され、ブラッグ回折格子部分の物理的な順序は、前記周波数平面における対応する周波数領域の順序と異なることを特徴とする軸受け。
【請求項２】
物理的に共に近接した回折格子部分が周波数平面において遠く離れた領域に対応するように、各回折格子部分が形成されていることを特徴とする請求項１に記載の軸受け。
【請求項３】
前記軸受けの荷重ゾーン、またはその周囲に物理的に位置する回折格子部分が、前記軸受けの非荷重ゾーン、またはその周囲に物理的に位置する回折格子部分に対応する周波数領域に隣接する、前記周波数平面における周波数領域に対応することを特徴とする請求項１または２に記載の軸受け。
【請求項４】
異なる帯域幅のセンサに対応するブラッグ回折格子部分が、前記周波数平面内において高帯域幅センサが低帯域幅センサの隣になるように、前記周波数平面内の対応する周波数領域に混在していることを特徴とする、請求項１〜３のいずれか一項に記載の軸受け。
【発明の詳細な説明】
【技術分野】
【０００１】
本発明は、特に荷重検出と組み合わせた、軸受けの状態監視に関する。
【背景技術】
【０００２】
軸受けは、回転機械において非常に重要な構成要素である。軸受けが故障すると、通常機械の完全な機能性もまた失われる。いくつかの運用において、故障した軸受けの定期整備以外での交換は、非常に難しい、またはきわめて高価である。このような運用は、深い海中での運用、クルーズ船または他の連続的な製造ラインの可能性がある。故障する前にいつ軸受けの交換が必要となるかを予測するために、および従来の定期的な方法に適するために、状態監視が行われる。機械および軸受けは、物理的にアクセスが容易な場所にある場合、軸受けの状態は、例えば振動測定によって評価することができる。深い海での運用などアクセスが可能でない装置は、いつ整備が必要なのかを評価できるように軸受けの状態を評価するための他の手段が必要である。遠隔で軸受けの状態を評価する多くの方法があるが、なおも改善の余地がある。
【発明の概要】
【発明が解決しようとする課題】
【０００３】
本発明の目的は、軸受けの状態および荷重を監視するための方法および手段を規定することである。軸受けが受ける荷重は、軸受けの寿命に影響を及ぼす。
【０００４】
本発明の別の目的は、軸受けにおいて電力を使わずに、状態を監視し、かつ軸受けの荷重を測定するための装置を規定することである。
【０００５】
本発明のさらなる目的は、光ファイバーの歪みを測定することにより状態の監視および軸受け荷重の測定に適したブラッグ・グレーティング光ファイバーを規定することである。
【課題を解決するための手段】
【０００６】
前述の目的は、軸受けの状態および軸受け荷重を検出するブラッグ・グレーティング光ファイバーを使用する本発明により達成され、軸受けは、軸受けの荷重変化および振動の両方のファイバーの感度を増すために溝を備える。
【０００７】
前述の目的は、軸受けが複数のグレーティング部分を有するブラッグ・グレーティング光ファイバーを備える本発明によってさらに達成され、物理的に隣接する回折格子部分（grated areas）は、周波数平面内において離間している。適当に隣接する周波数帯は、軸受けの反対側の回折格子部分に対応する。
【０００８】
前述の目的は、また軸受けの円形の外周に取り付けるためのブラッグ・グレーティング光ファイバーによる本発明により達成され、回折格子は、光ファイバーが軸受けに取り付けられた場合に平行となるように作られる。
【０００９】
前述の目的は、複数の回折格子部分を有するブラッグ・グレーティング光ファイバーを備える軸受けによる本発明によりさらに達成され、各回折格子部分は、周波数の異なる部分に対応し、各回折格子部分は、物理的に順次隣接する回折格子部分が周波数平面において離間した周波数領域に対応するように形成されていることを特徴とする。
【００１０】
適当に各回折格子部分は、共に物理的に近い回折格子部分が周波数平面において遠く離れた領域に対応するように形成されている。軸受けの荷重ゾーン、またはその周囲に物理的に位置する回折格子部分は、軸受けの非荷重ゾーン、またはその周囲に物理的に位置する回折格子部分に対応する周波数領域に隣接する周波数平面内の周波数領域に適切に対応している。異なるセンサタイプに対応するブラッグ回折格子部分は、周波数平面において高帯域幅センサが低帯域幅センサの隣になるように、周波数平面の対応する周波数領域に混在していることがある。ブラッグ回折格子部分の物理的な順序は、周波数平面の対応する周波数領域の順序とは異なる。
【００１１】
前述の目的はまた荷重、温度、加速度／振動および識別などの軸受けの１つまたは複数のパラメータを測定するためのブラッグ・グレーティング光ファイバーを備える軸受けによる本発明によって達成される。可能な限り多くのブラッグ・グレーティングを適合可能にするために、対応する周波数平面出力の利用は、周波数平面の大きい帯域幅センサの隣の低帯域幅を有することによって最適化される。軸受け上の荷重センサなどの対応する物理的なセンサは、隣接していない。荷重ゾーンのセンサは、高帯域幅出力を与え、かつ非荷重ゾーンのセンサは、低帯域幅出力を与えるため、これらが物理的に隣接していなくても、対応する周波数領域は、適切な回折格子によって隣接している。
【００１２】
光学的手段により歪みを検出する方法および装置を提供することから、光学的手段によって歪みデータを送信することにより軸受けから数キロ離れたところから状態監視および荷重測定を行うことが可能となる。したがって、任意の電力を軸受けに提供する必要がない。海面から数キロの深海ポンプの軸受け監視などの運用は、軸受けの局所で電力が不要な信頼性の高い方法で実現される。
【００１３】
本発明の他の利点は、下記の詳細な説明から明らかになるだろう。
【００１４】
本発明は、説明的な、かつ非限定的な以下の図を参照してより詳細に説明される。
【図面の簡単な説明】
【００１５】
【図１】本発明の典型的な実施方法の、ハウジング内の軸受けの側面図を示す。
【図２】本発明による１つの実施形態による軸受けの一部の断面図を示す。
【図３】本発明による他の実施形態による軸受けの一部の断面図を示す。
【図４】測定溝への光ファイバーのアクセスを示した本発明による軸受けの上面図を示す。
【図５Ａ】本発明による軸受け周囲のセンサ分布の例を示した本発明による軸受けの側断面図を示す。
【図５Ｂ】図５Ａのセンサ配置によるセンサの周波数分布を示す。
【図６Ａ】ブラッグ・グレーティングを有する従来の光ファイバーを示す。
【図６Ｂ】図６Ａの光ファイバーの周波数応答を示す。
【図７Ａ】円形軸受けの周囲などに湾曲したブラッグ・グレーティングを有する従来の光ファイバーを示す。
【図７Ｂ】図７Ａの湾曲した光ファイバーの周波数応答を示す。
【図８Ａ】本発明によるブラッグ・グレーティングを有する湾曲した光ファイバーを示す。
【図８Ｂ】図８Ａの本発明による光ファイバーの周波数応答を示す。
【発明を実施するための形態】
【００１６】
本発明を明確にするために、いくつかの使用例を図１〜図８Ｂに関連して説明する。
【００１７】
図１は、ハウジング１２０に取り付けられた軸受け１１０の側面図を示す。軸受け１１０は、非回転外輪１１２と、回転内輪１１４と、その間の転動体１１６と、を備える。これは、本発明の典型的な実施例である。本発明による光学的歪み計、通常ブラッグ・グレーティング光ファイバー歪み検出装置は、非回転外輪１１２の溝に配置される。溝は、光ファイバーを収容するために十分な大きさでなければならず、そうでなければ、軸受けがハウジング１２０に適合しない。溝はまた十分な大きさでなければならず、かつ歪みセンサの感度が増すように配置されなければならない。これは、軸受けに対する同じ力に対して、より大きい歪みが歪みセンサに加わるように軸受けが変形するよう外輪１１２を弱体化させることによる。溝が大きすぎる場合、軸受けは規定の能力を維持することが不可能になるため、溝は同時に軸受けの完全性が保てるように十分小さくなければならない。したがってこれら２つの条件を満たす妥協点があり、これにはまた溝の巧妙な配置が役立つ。
【００１８】
図２は、本発明の１つの実施形態による軸受けの一部の断面図を示す。軸受けは、２つの外輪２１２，２１３を備える２列ＳＲＢであり、各外輪は、対応する１組の転動体２１６，２１７を有する。この実施形態において、各列は、対応する溝２３０，２３１を備える。各溝は、幅２３５および高さ／深さ２３４を有する。適切な各溝は、光ファイバー配置のためのスリット２３８，２３９を有する。溝２３０，２３１および特に対応するスリット２３８，２３９の配置は、好ましくは対応する各列の荷重ライン２３７に沿っている。光ファイバーは、適当に配置された回折格子部分による歪み検出部を配置しながら完全に軸受けの周囲を回ることができる。これは、１つの光ファイバーが所望の全ての回折格子部分を備えるということである。あるいは、異なる場所に配置された対応する回折格子部分を伴ういくつかの光ファイバーを配置することができる。
【００１９】
図３は、本発明による他の実施形態によるＣＡＲＢ軸受けの一部の断面図を示す。この実施形態は、１列の転動体３１６を有する１つの外輪３１２のみを備えるが、多数の溝３３０，３３１，３３２を備える。
【００２０】
図４は、本発明による軸受けの上面図を示し、外輪４１２の測定溝４３０，４３１への光ファイバーアクセス手段４４０を示している。
【００２１】
図５Ａは、非回転外輪５１２と、回転内輪５１４と、その間の転動体５１６とを有する軸受け５００の側断面図を示し、本発明による軸受けの周囲の本発明によるセンサ分布５５１，５５２，５５３，５５４，５５５，５５６，５５７，５５８の一例を示している。ブラッグ・グレーティング光ファイバー５５０は、１つまたは複数の歪みセンサ５５１，５５２，５５３，５５４，５５５，５５６，５５７，５５８を備え、各センサは、回折格子部分によって形成される。各回折格子部分は、図５Ｂ関して下記に詳しく説明されるように、対応する回折格子部分の歪みに応じて変化する周波数５７１，５７２，５７３，５７４，５７５，５７６，５７７，５７８によって周波数平面に表される。
【００２２】
センサが荷重ゾーン５６２にある場合、大きい変動５８０が生じ、任意の荷重および荷重変動の場合に、非荷重ゾーンのセンサは、小さい変動５８４による小さい周波数変動を示す。もちろん中くらいの変動５８２を有するセンサがそれらの間にある。最適な方法でファイバーを使用する本発明によると、周波数変動が互いにぶつからないように可能な限り多くのセンサを使用するために、周波数スペクトルにおいて隣接するセンサ周波数が大きい範囲５８０まで変化しないように、センサは物理的に離されている。軸受けは、常に荷重ゾーンおよび反対側に非荷重ゾーンを有するため、周波数が隣接するセンサは、軸受けの反対側に物理的に配置される。
【００２３】
図６Ａは、平らに配置されたブラッグ・グレーティングを有する従来の光ファイバー６９０を示す。これは、第１歪みセンサ格子間距離ＤＡ６９２を有する第１歪みセンサ６５１と、第２歪みセンサ格子間距離ＤＢ６９６を有する第２歪みセンサ６５２とを備える。回折格子は、光ファイバーの断面を通り均等に離れているため、図６Ｂに明らかなように、各センサからの良好なピーク周波数応答６７１，６７２が作られる。
【００２４】
図７Ａは、円形軸受けの周囲などに湾曲したブラッグ・グレーティングを有する従来の光ファイバー７９０を示す。これは、また第１歪みンサ７５１および第２歪みセンサ７５２を備える。しかし明らかなように、ファイバーが湾曲している場合、内側は圧縮され、第１歪みセンサの内側格子間距離ＤＡ−δ７９１および第２歪みセンサの格子間距離ＤＢ−δ７９５は、両方以前より小さくなる。より大きい距離ＤＡ＋δ７９３，ＤＢ＋δ７９７を生じる引き伸ばされた外側との組み合わせにより、ファイバーを横切る距離の変化が生じる。これは図７Ｂに明らかなように、中心周波数７７１，７７２におけるピークの代わりに幅広い周波数応答７７９が作られる。
【００２５】
図８Ａは、本発明による第１８５１および第２８５２歪みセンサが配置されたブラッグ・グレーティングを有する湾曲した光ファイバー８９０を示す。本発明によるブラッグ・グレーティングを有する光ファイバーは、円形軸受けの周囲などにファイバーが湾曲している場合でも、ファイバーを通して等しい格子間距離ＤＡ８９２，ＤＢ８９６を有する。図８Ｂに明らかなように、ファイバーが湾曲している場合に所望のピーク周波数応答８７１，８７２が達成される。回折格子は、軸受けにファイバーを取り付けた後に追加することができる。
【００２６】
本発明は、上述の実施形態に限定されないが、以下の特許請求の範囲内で変形させることが可能である。
【符号の説明】
【００２７】
１１０  軸受け
１１２  軸受けの非回転外輪，１１４  軸受けの回転内輪
１１６  外輪および内輪の間に配置された軸受けの転動体
１２０  ハウジング
２１２  第１列に属する第１外輪，２１３  第２列に属する第２外輪
２１６  第１列の転動体，２１７  第２列の転動体
２３０  第１列の第１溝，２３１  第２列の第２溝
２３４  溝の高さ／深さ，２３５  溝の幅
２３７  第１列の荷重ライン
２３８  第１溝に位置する第１光ファイバースリット
２３９  第２溝に位置する第２光ファイバースリット
３１２  外輪，３１６  転動体，３３０  第１溝，３３１  第２溝，３３２  第３溝
４１２  外輪，４３０  第１溝，４３１  第２溝
４４０  入る／出るための光ファイバー通路
５００  光ファイバー歪みセンサ装置を有する本発明による軸受け
５１２  軸受けの非回転外輪，５１４  軸受けの回転内輪
５１６  外輪および内輪の間に配置された軸受けの転動体
５５０  光ファイバー歪みセンサ装置
５５１  ＳＡ−歪みセンサ，５５２  ＳＢ−歪みセンサ
５５３  ＳＣ−歪みセンサ，５５４  ＳＤ−歪みセンサ
５５５  ＳＥ−歪みセンサ，５５６  ＳＦ−歪みセンサ
５５７  ＳＧ−歪みセンサ，５５８  ＳＨ−歪みセンサ
５６０  軸受けの非荷重ゾーン，５６２  軸受けの荷重ゾーン
５７１  ＳＡ−歪みセンサのｆＡ中心周波数
５７２  ＳＢ−歪みセンサのｆＢ中心周波数
５７３  ＳＣ−歪みセンサのｆＣ中心周波数
５７４  ＳＤ−歪みセンサのｆＤ中心周波数
５７５  ＳＥ−歪みセンサのｆＥ中心周波数
５７６  ＳＦ−歪みセンサのｆＦ中心周波数
５７７  ＳＧ−歪みセンサのｆＧ中心周波数
５７８  ＳＨ−歪みセンサのｆＨ中心周波数
５８０  大きい荷重変動による大きい周波数変動
５８２  中位の荷重変動による中位の周波数変動
５８４  小さい荷重変動による小さい周波数変動
６５１  第１歪みセンサ，６５２  第２歪みセンサ
６９０  ブラッグ回折格子を有する光ファイバーセンサ装置
６９２  第１歪みセンサ格子間距離ＤＡ，６９６  第２歪みセンサ格子間距離ＤＢ
６７１  第１歪みセンサの周波数応答，６７２  第２歪みセンサの周波数応答
７５１  第１歪みセンサ，７５２  第２歪みセンサ
７９０  ブラッグ回折格子を有する光ファイバーセンサ装置
７９１  第１歪みセンサ内側格子間距離ＤＡ−δ
７９３  第１歪みセンサ外側格子間距離ＤＡ＋δ
７９５  第２歪みセンサ格子間距離ＤＢ−δ
７９７  第２歪みセンサ格子間距離ＤＢ＋δ
７７１  第１歪みセンサの中心周波数応答，７７２  第２歪みセンサの中心周波数応答
７７９  周波数幅
８５１  第１歪みセンサ，８５２  第２歪みセンサ
８９０  ブラッグ回折格子を有する光ファイバーセンサ装置
８９２  第１歪みセンサ外側および内側格子間距離ＤＡ
８９６  第２歪みセンサ外側および内側格子間距離ＤＢ
８７１  第１歪みセンサの中心周波数応答，８７２  第２歪みセンサの中心周波数応答
【図１】
0005620509.tif 000002
【図２】
0005620509.tif 000003
【図３】
0005620509.tif 000004
【図４】
0005620509.tif 000005
【図５Ａ】
0005620509.tif 000006
【図５Ｂ】
0005620509.tif 000007
【図６Ａ】
0005620509.tif 000008
【図６Ｂ】
0005620509.tif 000009
【図７Ａ】
0005620509.tif 000010
【図７Ｂ】
0005620509.tif 000011
【図８Ａ】
0005620509.tif 000012
【図８Ｂ】
0005620509.tif 000013